【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
通信システムにおいて１または複数の受信側ユーザ機器への直接サイドリンク接続を通じた直接通信送信を実行する送信側ユーザ機器であって、
同じ送信制御期間内に少なくとも２つのサイドリンクグラントを受信する受信部と、
プロセッサを備え、
少なくとも２つのサイドリンクプロセスのそれぞれ１つが、識別情報に関連付けられており、前記プロセッサは、
・  前記受信した少なくとも２つのサイドリンクグラントそれぞれを、前記少なくとも２つのサイドリンクプロセスのそれぞれ１つに対応的に関連付け、
・  前記少なくとも２つのサイドリンクグラントそれぞれにおいて、前記直接サイドリンク接続を通じたサイドリンク制御情報およびデータの直接通信送信を実行するための無線リソースを、前記それぞれのサイドリンクグラントに従って割り当て、
前記対応的に関連付けられているサイドリンクグラントを有するサイドリンクプロセスごとに直接通信送信を前記同じ送信制御期間内に実行する送信部と、を備える
送信側ユーザ機器。
【請求項２】
前記送信側ユーザ機器が、送信用に利用可能であり、かつ、複数のサイドリンク宛先グループを送信先とするデータ、をそれぞれ格納するバッファ、を備えており、前記プロセッサが、前記対応的に関連付けられているサイドリンクグラントを有するサイドリンクプロセスごとに、
・  前記それぞれのサイドリンクグラントに従って無線リソースを使用する直接通信送信の宛先として、それぞれ１つのサイドリンク宛先グループを決定し、
・  前記決定されたサイドリンク宛先グループごとに、前記直接通信送信を実行するために割り当てられた前記無線リソースを識別する、サイドリンク制御情報、をそれぞれ生成し、
前記送信部が、
前記決定されたそれぞれのサイドリンク宛先グループを送信先とする前記生成されたサイドリンク制御情報およびデータの前記直接通信送信を、前記それぞれのサイドリンク制御情報により指示される無線リソースを使用して、前記同じ送信制御期間内に実行する、
請求項１に記載の送信側ユーザ機器。
【請求項３】
前記送信側ユーザ機器が、
・  前記受信されたサイドリンクグラントすべてに対してすべての前記サイドリンク宛先グループを決定するために、共通の論理チャネル優先順位付け手順を使用する、または、
・  受信されたサイドリンクグラントごとに個別の論理チャネル優先順位付け手順を使用する、
ことによって、前記受信されたサイドリンクグラントあたり１つのサイドリンク宛先グループを決定する、
請求項２に記載の送信側ユーザ機器。
【請求項４】
前記少なくとも２つのサイドリンクグラントそれぞれが、前記受信部によって無線基地局から受信する、または、前記送信側ユーザ機器のプロセッサによって送信無線リソースプールから自律的に選択され、
サイドリンクグラントを前記無線基地局から受信する場合、前記送信側ユーザ機器の前記受信部が、サイドリンクスケジューリングメッセージにより前記サイドリンクグラントを受信するように構成されており、前記サイドリンクスケジューリングメッセージに基づき、前記それぞれのサイドリンクグラントが関連付けられるべき、前記送信側ユーザ機器におけるサイドリンクプロセス、を識別する識別情報、を取得し、
前記送信側ユーザ機器によって受信される前記サイドリンクスケジューリングメッセージが、前記送信側ユーザ機器によって送信されるべき前記サイドリンク制御情報の内容に関する情報をさらに備えており、かつ、前記直接通信送信において前記サイドリンク制御情報およびデータを送信するために使用されるべき前記無線リソース、を示す、
請求項１から請求項３のいずれか１項に記載の送信側ユーザ機器。
【請求項５】
前記送信部が、前記サイドリンク制御情報の送信に使用した前記無線リソースの次のアップリンクサブフレームを用いて前記データを送信する、
請求項１から請求項４のいずれか１項に記載の送信側ユーザ機器。
【請求項６】
前記サイドリンクプロセスの並行して実行可能な数は８である、
請求項１から請求項５のいずれか１項に記載の送信側ユーザ機器。
【請求項７】
通信システムにおいて送信側ユーザ機器が１または複数の受信側ユーザ機器への直接サイドリンク接続を通じた直接通信送信を実行するための方法であって、
前記送信側ユーザ機器が同じ送信制御期間内に少なくとも２つのサイドリンクグラントを受信し、少なくとも２つのサイドリンクプロセスのそれぞれ１つが、識別情報に関連付けられており、
−  前記受信した少なくとも２つのサイドリンクグラントそれぞれを、前記少なくとも２つのサイドリンクプロセスのそれぞれ１つに対応的に関連付けるステップと、
−  前記少なくとも２つのサイドリンクグラントそれぞれにおいて、前記直接サイドリンク接続を通じたサイドリンク制御情報およびデータの直接通信送信を実行するための無線リソースを、前記それぞれのサイドリンクグラントに従って割り当てるステップと、
前記送信側ユーザ機器が、前記対応的に関連付けられているサイドリンクグラントを有するサイドリンクプロセスごとに直接通信送信を前記同じ送信制御期間内に実行するステップと、を含む、
方法。
【請求項８】
前記送信側ユーザ機器において、複数のサイドリンク宛先グループを送信先とするデータが送信用に利用可能であり、前記対応的に関連付けられているサイドリンクグラントを有するサイドリンクプロセスごとに、前記送信側ユーザ機器により実行される方法が、
・  前記それぞれのサイドリンクグラントに従って無線リソースを使用する直接通信送信の宛先として、それぞれ１つのサイドリンク宛先グループを決定するステップと、
・  前記決定されたサイドリンク宛先グループごとに、かつ、前記直接通信送信を実行するために割り当てられた前記無線リソースを識別する、サイドリンク制御情報、をそれぞれ生成するステップと、
・  前記決定されたそれぞれのサイドリンク宛先グループを送信先とする前記生成されたサイドリンク制御情報およびデータの前記直接通信送信を、前記それぞれのサイドリンク制御情報により指示される、前記無線リソースを使用して、前記同じ送信制御期間内に実行するステップと、を含む、
請求項７に記載の方法。
【請求項９】
前記受信されたサイドリンクグラントあたり１つのサイドリンク宛先グループを決定する前記ステップが、前記送信側ユーザ機器によって、
・  前記受信されたサイドリンクグラントすべてに対してすべての前記サイドリンク宛先グループを決定するために、共通の論理チャネル優先順位付け手順を使用して、または、
・  前記受信されたサイドリンクグラントごとに個別の論理チャネル優先順位付け手順を使用して、
実行される、
請求項８に記載の方法。
【請求項１０】
前記少なくとも２つのサイドリンクグラントそれぞれが、無線基地局から受信される、または、前記送信側ユーザ機器によって送信無線リソースプールから自律的に選択され、
サイドリンクグラントが前記無線基地局から受信される場合、前記サイドリンクグラントが前記無線基地局によってサイドリンクスケジューリングメッセージにより前記送信側ユーザ機器に送信され、前記サイドリンクスケジューリングメッセージに基づき、前記それぞれのサイドリンクグラントが関連付けられるべき、前記送信側ユーザ機器におけるサイドリンクプロセス、を識別する識別情報、を取得し、
前記無線基地局によって送信される前記サイドリンクスケジューリングメッセージが、前記送信側ユーザ機器によって送信されるべき前記サイドリンク制御情報の内容に関する情報をさらに備えており、かつ、前記直接通信送信において前記サイドリンク制御情報およびデータを送信するために使用されるべき前記無線リソース、を示し、
前記無線基地局によって送信される前記サイドリンクスケジューリングメッセージが、３ＧＰＰ  ＤＣＩフォーマット５タイプのメッセージである、
請求項７から請求項９のいずれか１項に記載の方法。
【請求項１１】
前記受信された少なくとも２つのサイドリンクグラントが、同じ送信制御期間にわたり有効である、請求項７から請求項１０のいずれか１項に記載の方法。
【請求項１２】
前記送信部が、前記サイドリンク制御情報の送信に使用した前記無線リソースの次のアップリンクサブフレームを用いて前記データを送信する、
請求項７から請求項１０のいずれか１項に記載の方法。
【請求項１３】
前記サイドリンクプロセスの並行して実行可能な数は８である、
請求項７から請求項１２のいずれか１項に記載の方法。